(57)【要約】【課題】  陶器製の便器本体に固着した取付け部材の固着部の位置ずれを確実に防止できる。【解決手段】  陶器製の便器本体２の被着部５に取付け部材の固着部９を当接する。固着部９にボルト挿通孔１６を穿設する。被着部５にボルト１３よりも大径のボルト用孔１９を穿設する。ボルト用孔１９に固着部９側に行くに従って縮径するテーパー状孔部２０を形成する。固着部９側からボルト挿通孔１６及びボルト用孔１９に挿入したボルト１３の雄ねじ部１５に、固着部９側に行くに従ってテーパー状孔部２０と同じ割合で縮径するテーパー状の外周面２３を有する位置決めナット２２を螺合する。位置決めナット２２のテーパ状の外周面２３を便器本体２のテーパー状孔部２０の内周面に当接する。前記ボルト１３及び位置決めナット２２にて取付け部材の固着部９及び便器本体２の被着部５を締結する。【選択図】        図１
2005211166.tif 000002
【特許請求の範囲】
【請求項１】
陶器製の便器本体の被着部に取付け部材の固着部を当接し、取付け部材の固着部にボルトを挿通するためのボルト挿通孔を穿設し、便器本体の被着部に前記ボルト挿通孔に連通し且つ前記ボルトよりも大径のボルト用孔を穿設し、該ボルト用孔に固着部側に行くに従って徐々に縮径するテーパー状孔部を形成し、固着部側からボルト挿通孔及びボルト用孔に挿入したボルトの雄ねじ部に、固着部側に行くに従って前記ボルト用孔のテーパー状孔部と同じ割合で徐々に縮径するテーパー状の外周面を有する位置決めナットを螺合し、該位置決めナットのテーパ状の外周面を便器本体のテーパー状孔部の内周面に当接すると共に前記ボルト及び位置決めナットにて取付け部材の固着部及び便器本体の被着部を締結して成ることを特徴とする陶器製の便器本体への取付け部材の取付け構造。
【発明の詳細な説明】
【技術分野】
【０００１】
本発明は、陶器製の便器本体への取付け部材の取付け構造に関し、詳しくは陶器製の便器本体へのアームレストの取付け構造である。
【背景技術】
【０００２】
従来からボルト及びナットにて便器本体の被着部及び取付け部材の固着部を締結した便器本体への取付け部材の取付け構造が知られている。例えば便器本体の後部の両側端部に取付け部材としてアームレストを取付けてなる肘掛け付き水洗便器にあっては、図５に示すように便器本体の後部の周壁部２６の上端部から内方又は外方に向けて突設した被着部４０にアームレストの固着部４１を載置し、固着部４１にボルト４２を挿通するためのボルト挿通孔４３を穿設し、被着部４０に軸方向の孔径が同じで且つ前記ボルト挿通孔４３に連通するボルト用孔４４を穿設し、上側からボルト挿通孔４３及びボルト用孔４４にボルト４２を挿通し、被着部４０よりも下方に突出したボルト４２の先端部にナット４６を螺合することで便器本体の被着部４０とアームレストの固着部４１とをボルト４２及びナット４６にて締結している（例えば特許文献１）。
【０００３】
ところで上記便器本体が陶器製である場合、被着部４０に設けたボルト用孔４４は一般的にその孔径をボルト４２の径よりも大きくしてあり、ボルト４２をボルト用孔４４に遊びを持って挿入してある。これは陶器製の部材は焼成時の収縮量にばらつきがあるため、ボルト用孔４４がボルト４２の径よりも小径となってボルト用孔４４にボルト４２を挿入できない事態が生じるからであるが、このようにボルト４２をボルト用孔４４に遊びを持って挿入した場合、ボルト４２及びナット４６にて被着部４０と固着部４１とを締結してあるといえども、固着部４１が被着部４０に対してボルト用孔４４の軸方向と直交する方向に位置ずれしてしまうことがあり、アームレストを便器本体に位置決めした状態で強固に固着することができないという問題があった。
【特許文献１】特開２０００−１５７４５６号公報
【発明の開示】
【発明が解決しようとする課題】
【０００４】
本発明は上記従来の問題点に鑑みて発明したものであって、陶器製の便器本体の被着部に固着した取付け部材の固着部の位置ずれを確実に防止できて、便器本体に取付け部材を強固に固着することができる陶器製の便器本体への取付け部材の取付け構造を提供することを課題とするものである。
【課題を解決するための手段】
【０００５】
上記課題を解決するために本発明に係る陶器製の便器本体への取付け部材の取付け構造は、陶器製の便器本体２の被着部５に取付け部材の固着部９を当接し、取付け部材の固着部９にボルト１３を挿通するためのボルト挿通孔１６を穿設し、便器本体２の被着部５に前記ボルト挿通孔１６に連通し且つ前記ボルト１３よりも大径のボルト用孔１９を穿設し、該ボルト用孔１９に固着部９側に行くに従って徐々に縮径するテーパー状孔部２０を形成し、固着部９側からボルト挿通孔１６及びボルト用孔１９に挿入したボルト１３の雄ねじ部１５に、固着部９側に行くに従って前記ボルト用孔１９のテーパー状孔部２０と同じ割合で徐々に縮径するテーパー状の外周面２３を有する位置決めナット２２を螺合し、該位置決めナット２２のテーパ状の外周面２３を便器本体２のテーパー状孔部２０の内周面に当接すると共に前記ボルト１３及び位置決めナット２２にて取付け部材の固着部９及び便器本体２の被着部５を締結して成ることを特徴とする。
【０００６】
上記のように固着部９側に行くに従って縮径するテーパー状孔部２０に位置決めナット２２の固着部９側に行くに従って縮径するテーパー状の外周面２３を当接することで、焼成条件等によりボルト用孔１９の孔径が変化したとしても、テーパー状孔部２０内の軸方向に異ならせた位置に位置決めナット２２を配して該位置決めナット２２を大きさの定まらないテーパー状孔部２０に対応して確実に当接することができ、この位置決めナット２２により陶器製の便器本体２に取付けた取付け部材の位置ずれを確実に防止でき、陶器製の便器本体２に取付け部材を強固に固着することができる。
【発明の効果】
【０００７】
本発明では、陶器製の便器本体の被着部に取付けた取付け部材の固着部の位置ずれを確実に防止できて、陶器製の便器本体に取付け部材を強固に固着することができる。
【発明を実施するための最良の形態】
【０００８】
以下、本発明を添付図面に示す実施形態に基いて説明する。図２に陶器製の便器本体２と、取付け部材としてのアームレスト３とを有する肘掛け付き水洗便器１を示す。
【０００９】
便器本体２は型に基材を流し込んで脱型後に焼成することで製造されたものである。便器本体２の後部の周壁部２６の上端部には図３のように外方に向けて平板状のフランジ部５を一体に突設している。また便器本体２の後部のフランジ部５を含む上面には局部洗浄装置本体２７が設置されており、該局部洗浄装置本体２７は、局部洗浄装置本体２７から便器本体２内へと突出するノズルから温水を噴出させて、肛門洗浄やビデ洗浄を行うものである。また局部洗浄装置本体２７には図示しない便座及び便蓋が枢支されている。
【００１０】
アームレスト３は、便座に着座した使用者が肘を掛ける肘掛け部６と、一端部を肘掛け部６に接続した肘掛けアーム７と、肘掛けアーム７の他端部を取付けた肘掛けアーム７とは別体の金属製の取付け具８とからなり、該アームレスト３は便器本体２の両側に設けられている。各アームレスト３の取付け具８は図３に示すように対応する便器本体２の両側に位置するフランジ部５の上面に載置固着した横片部９と、横片部９の外側端部から下方に向けて突出し便器本体２の側壁部に対向する縦片部１０とからなる断面Ｌ字状の部材である。縦片部１０には孔１１を穿設してあり、この孔１１に挿入した肘掛けアーム７の他端部は枢支部材１２（図２参照）により回動自在で且つアームレスト３の肘掛け部６が水平となる使用状態と肘掛け部６が起立した非使用状態とで停止規制されるように縦片部１０に取付けてある。そして本例では前記取付け具８の横片部９を固着部とし、該横片部９が固着される陶器製の便器本体２のフランジ部５を被着部としている。
【００１１】
以下上記フランジ部５への横片部９の取付け構造を示す。横片部９には図３に示すように頭部１４と雄ねじ部１５とからなるボルト１３を挿通するためのボルト挿通孔１６を複数穿設してあり、該ボルト挿通孔１６は横片部９の便器本体２の前後方向と左右方向に位置をずらした計３箇所に穿設されている。各ボルト挿通孔１６は図１に示すように下側（フランジ部５側）に形成したボルト１３の雄ねじ部１５よりも大径のストレート孔部１７と、上側（フランジ部５の反対側）に形成した上側に行くに従って徐々に拡径するテーパー状の拡径孔部１８とからなる。
【００１２】
またフランジ部５には上記複数のボルト挿通孔１６の夫々に連通する複数（３つ）のボルト用孔１９を穿設してある。各ボルト用孔１９はボルト１３の雄ねじ部１５よりも大径であって、各ボルト用孔１９の下側（横片部９の反対側）にはボルト用孔１９の下端（横片部９の反対側の端）から上側（横片部９側）に行くに従って徐々に縮径するテーパー状孔部２０を形成してある。また各ボルト用孔１９の上側には上側に行くに従って徐々に拡径するテーパー状の固着部側孔部２１を形成してあり、各ボルト用孔１９は前記下側のテーパー状孔部２０及び上側の固着部側孔部２１とからなる。
【００１３】
上記横片部９の各ボルト挿通孔１６及びこれに連通するフランジ部５のボルト用孔１９には上側（即ち横片部９側）からボルト１３を挿入してあり、各ボルト１３の雄ねじ部１５には上側に行くに従って前記ボルト用孔１９のテーパー状孔部２０と同じ割合で徐々に縮径するテーパー状の外周面２３を有する位置決めナット２２を螺合してある。各位置決めナット２２は図４に示すように中心に雌ねじ孔２４を穿設した円錐台状の部材であって、即ち円錐台状に形成された位置決めナット２２の外周側面を前記テーパー状の外周面２３としている。
【００１４】
図１に示すように上記ボルト１３に螺合した位置決めナット２２はその外周面２３がフランジ部５のテーパー状孔部２０の内周面に当接した状態でテーパー状孔部２０に合致して嵌合している。ここでボルト１３の頭部１４の外周面は図１に示すように上側（フランジ部５の反対側）に行くに従って横片部９の拡径孔部１８と同じ割合で拡径するテーパー面２５となっており、ボルト１３の頭部１４のテーパー面２５は拡径孔部１８の内面に当接しており、ボルト１３の頭部１４はその全部がボルト挿通孔１６内に収納されている。
【００１５】
上記フランジ部５への横片部９の取付けは以下のように行う。まずフランジ部５に横片部９を各ボルト挿通孔１６と各ボルト用孔１９とが連通するように載置する。この後、各ボルト挿通孔１６及びこれに連通するボルト用孔１９に横片部９側からボルト１３を挿入し、各ボルト１３の雄ねじ部１５をボルト用孔１９側へ配した位置決めナット２２の雌ねじ孔２４に上側（横片部９側）から螺合し、ボルト１３の雌ねじ孔２４への螺入を進めて位置決めナット２２をテーパー状孔部２０内で上側（横片部９側）に移動させ、位置決めナット２２がフランジ部５のテーパー状孔部２０に嵌合するまでボルト１３の螺入を進める。
【００１６】
上記のように陶器製の便器本体２の被着部５に固着部９側に行くに従って縮径するテーパー状孔部２０を有するボルト用孔１９を穿設することで、陶器製の便器本体２を製造するにあたって脱型を行う際に適切な抜き勾配が得られる。また陶器製の便器本体２のフランジ部５に設けたテーパー状孔部２０と固着部側孔部２１とからなるボルト用孔１９は焼成条件や型の摩耗状態によってその大きさが相似形に変化するのだが、本実施形態では上記のように上側に行くに従って縮径するテーパー状孔部２０に位置決めナット２２の上側に行くに従って縮径するテーパー状の外周面２３を当接してあるので、前述したように焼成条件等によりボルト用孔１９の大きさが変化したとしても、位置決めナット２２をテーパー状孔部２０内の上下方向（テーパー状孔部２０の軸方向）に位置を異ならせた箇所に配して、該位置決めナット２２を大きさの定まらないテーパー状孔部２０に対応して確実に当接することができ、この位置決めナット２２により陶器製の便器本体２のフランジ部２９に固着した横片部９の位置ずれを確実に防止でき、これにより使用に伴ってあらゆる方向に荷重がかかるアームレスト３を便器本体２に位置決めした状態で強固に固着することができる。
【００１７】
なお上記説明では取付け部材をアームレスト３とした例を示したが、取付け部材はこれに限定されるものではなく、例えば取付け部材は温水洗浄便座であったり、便座や便蓋であっても良いものとする。
【図面の簡単な説明】
【００１８】
【図１】本発明の実施の形態の一例の取付け構造を示す断面図である。
【図２】同上の肘掛け付き水洗便器の斜視図である。
【図３】同上の局部洗浄装置を取り外した状体における肘掛け付き水洗便器の要部拡大斜視図である。
【図４】同上の位置決めナットの斜視図である。
【図５】従来の取付け部材の取付け構造を示す断面図である。
【符号の説明】
【００１９】
２  便器本体
５  被着部
９  固着部
１３  ボルト
１５  雄ねじ部
１６  ボルト挿通孔
１９  ボルト用孔
２０  テーパー状孔部
２２  位置決めナット
２３  外周面
【図１】
2005211166.tif 000003
【図２】
2005211166.tif 000004
【図３】
2005211166.tif 000005
【図４】
2005211166.tif 000006
【図５】
2005211166.tif 000007